(57)【要約】【課題】所望の範囲内の毛髪をより分けることが容易になる器具を実現する。【解決手段】器具（１）は、互いに対向する一対の対向部（２）と、前記一対の対向部の間の空間を区切る一対の第１仕切り部（３）とを備え、前記一対の対向部が対向する方向および前記一対の第１仕切り部が対向する方向における前記一対の第１仕切り部の移動を可能とする第１移動機構が前記一対の対向部の少なくとも一方に形成されている。【選択図】図１
2020201119.tif 000002
【特許請求の範囲】
【請求項１】
互いに対向する一対の対向部と、
前記一対の対向部の間の空間を区切る一対の第１仕切り部とを備え、
前記一対の対向部が対向する方向および前記一対の第１仕切り部が対向する方向における前記一対の第１仕切り部の移動を可能とする第１移動機構が前記一対の対向部の少なくとも一方に形成されていることを特徴とする器具。
【請求項２】
前記一対の第１仕切り部は、互いに遠ざかる方向に移動可能であり、
前記一対の第１仕切り部の間において、前記一対の対向部の間の空間を区切る一対の第２仕切り部をさらに備え、
前記一対の対向部が対向する方向における前記第２仕切り部の移動を可能とする第２移動機構が前記一対の対向部の少なくとも一方に形成されていることを特徴とする請求項１に記載の器具。
【請求項３】
前記一対の第１仕切り部は、互いに近づく方向に移動可能であり、
前記一対の第１仕切り部の外側において、前記一対の対向部の間の空間を区切る一対の第２仕切り部をさらに備え、
前記一対の対向部が対向する方向における前記一対の第２仕切り部の移動を可能とする第２移動機構が前記一対の対向部の少なくとも一方に形成されていることを特徴とする請求項１に記載の器具。
【請求項４】
前記第２移動機構は、前記一対の第２仕切り部が対向する方向における前記一対の第２仕切り部の移動を可能とすることを特徴とする請求項２または３に記載の器具。
【請求項５】
前記一対の第１仕切り部は、前記一対の第１仕切り部の間の距離が、１０ｍｍ〜３０ｍｍの範囲内において移動可能であることを特徴とする請求項２に記載の器具。
【請求項６】
前記一対の第１仕切り部は、前記一対の第１仕切り部の間の距離が１ｍｍ〜１０ｍｍの範囲内において移動可能であることを特徴とする請求項３に記載の器具。
【請求項７】
前記一対の第１仕切り部を前記対向部の少なくとも一方に対して固定する固定部材を有し、
前記一対の第１仕切り部が前記対向部の少なくとも一方に対して固定されたとき、前記一対の第２仕切り部との最も近い距離は、５ｍｍ〜１０ｍｍである、請求項５または６に記載の器具。
【請求項８】
前記一対の対向部は、第１対向部および第２対向部からなり、
前記第１対向部および前記第２対向部の、前記一対の対向部が対向する方向における幅をＸとし、
前記第１対向部と前記第２対向部との間の最短距離をＹとし、
前記一対の第１仕切り部および一対の第２仕切り部の、前記第１対向部の長軸に対して垂直な方向の長さをＺとしたとき、
Ｙ＝５ｍｍ〜１０ｍｍ、かつ、Ｘ＞Ｚ≧Ｙである、請求項１から７のいずれか一項に記載の器具。
【請求項９】
請求項１〜８のいずれか１項に記載の器具が備える前記一対の対向部の間に毛髪を嵌め込む工程と、
前記一対の対向部の少なくとも一方から前記一対の第１仕切り部を突出させる工程と、
前記一対の第１仕切り部が対向する方向に沿って、突出した前記一対の第１仕切り部のそれぞれを移動させ、前記一対の対向部の間に嵌め込まれた毛髪の一部をより分ける工程と、を含むことを特徴とする毛束形成方法。
【発明の詳細な説明】
【技術分野】
【０００１】
本開示は毛髪を採取するための器具および毛束形成方法に関する。
【背景技術】
【０００２】
毛髪は、血液循環によって、体内の生理活性物質（例えばコルチゾール）を取り込み、蓄積しながら成長する。これに関連して、ストレスに伴い毛髪中のコルチゾール濃度が変化することが知られている。これを利用して、毛髪中のコルチゾール濃度を測定することによりストレスを計測する研究が行われている。また、毛髪の位置により、含まれるコルチゾールの濃度が異なることが報告されている。
【０００３】
より正確に、また定期的に個人のストレスを計測するためには、経時的なコルチゾールの濃度変化を測定する必要がある。定期的に測定を行う場合、それぞれの測定において、頭部の同じ位置（同じ範囲内）から毛髪を採取する必要がある。例えば、それぞれの測定において、２ｃｍφ内での１ｃｍ四方の毛髪を採取する必要がある。
【０００４】
毛髪を採取する方法として、例えば、手作業によって頭部における所望の範囲の髪をより分け、毛束を形成した後、毛束を指でつまむ、またはヘアピンでとめ、その後、形成した毛束を鋏等で切ることで毛髪を採取する方法が用いられている。
【０００５】
その他、毛髪をより分けるための器具として、特許文献１には、広げた毛束を指で挟んだ状態で、他方の手に保持した櫛を広げた毛束の下から上げることにより、上下に毛束を分けることができる櫛が開示されている。
【０００６】
また、特許文献２には、縦櫛の歯の隙間に、出したり引っ込めたりできる、短い横歯を内蔵させて、当該横歯を引っ込めて毛髪の根元に挿し込み、それから少し横歯を出して、毛髪をすき上げることで、毛髪を立体的に固定することができる櫛が開示されている。
【先行技術文献】
【特許文献】
【０００７】
【特許文献１】特開平０９−１５４６２５号公報
【特許文献２】特願平１１−１０３０９２号公報
【発明の概要】
【発明が解決しようとする課題】
【０００８】
しかしながら、上述のように、毛束を作成するときに指で毛髪をつまむ場合、またはヘアピンで毛髪を留める場合、所望の位置以外からの毛も巻き込んでしまうことがある。そのため、所望の位置のみの毛髪による毛束を作成することは難しいという問題があった。また、櫛でとかしたとしても、所望の位置以外の髪を除くことは容易ではないという問題があった。
【０００９】
特許文献１の発明では、１方向において所望の範囲内の毛髪をより分けることはできるものの、別の方向（例えば、櫛歯が伸びる方向に対して９０°回転した方向）における毛髪をより分けることができない。
【００１０】
また、特許文献２の発明では、毛髪を固定することのみ想定されており、所望の範囲外の毛髪と所望の範囲内の毛髪とを分けることは想定されていない。そのため、毛束を採取するために使用すると、所望の範囲外の毛髪が混ざる可能性がある。
【００１１】
本開示の一態様は、所望の範囲内の毛髪をより分けることが容易になる器具を実現することを目的とする。
【課題を解決するための手段】
【００１２】
上記の課題を解決するために、本開示の一態様に係る器具は、互いに対向する一対の対向部と、前記一対の対向部の間の空間を区切る一対の第１仕切り部とを備え、前記一対の対向部が対向する方向および前記一対の第１仕切り部が対向する方向における前記一対の第１仕切り部の移動を可能とする第１移動機構が前記一対の対向部の少なくとも一方に形成されている。
【発明の効果】
【００１３】
本開示の一態様によれば、所望の範囲内の毛髪をより分けることが容易になる。
【図面の簡単な説明】
【００１４】
【図１】本開示の本実施形態１に係る器具の概略図である。
【図２】第１対向部が備える構成を示す概略図である。
【図３】第１移動機構および第２移動機構の動作の一例を示す図である。
【図４】毛髪を採取する位置を特定する方法の一例を示す図である。
【図５】頭皮上に器具を配置した状態を示す図である。
【図６】図５に示された状態の器具を図５における左方向から見た図である。
【図７】第１仕切り部を互いに遠ざかる方向において移動させる様子を示す図である。
【図８】図７に示された状態の器具を図７における左方向から見た図である。
【図９】第１仕切り部および第２仕切り部を移動させるための構成の別の例を示す図である。
【図１０】本開示の実施形態２に係る器具の構成を示す概略図である。
【図１１】図１０に示された状態の器具を図１０における左方向から見た図である。
【図１２】実施形態２に係る第１移動機構および第２移動機構の構成を示す図である。
【発明を実施するための形態】
【００１５】
〔実施形態１〕
＜器具１の構成＞
以下、本開示の一実施形態について、詳細に説明する。図１は、本開示の実施形態１に係る器具１の概略図である。図１は、毛髪３０を採取する採取者が毛髪３０を採取される被採取者の頭皮４０上に器具１を配置した状態において、頭皮４０を上方から見た図である。図１に示すように、器具１は、対向部２、第１仕切り部３、および第２仕切り部４を備えている。以下、対向部２が備える第１対向部５と第２対向部６とが対向する方向を「横方向」、横方向に対して垂直な方向（図１における上下方向）を「縦方向」と称する。また、第２対向部６から第１対向部５へ向かう方向を「左方向」、第１対向部５から第２対向部６へ向かう方向を「右方向」と称する。
【００１６】
器具１は、毛髪３０を被採取者の頭皮４０上に配置され、対向部２によって横方向の毛髪３０をより分ける。また、第１仕切り部３および第２仕切り部４が対向部２の間に突出し、縦方向に移動することにより、縦方向の毛髪３０をより分ける。これにより、採取者が破線によって示される所望の範囲５０内の毛髪３０のみを採取することを可能とする。
【００１７】
ここで、所望の範囲５０とは、例えば、毛髪３０に含まれるコルチゾールの濃度の計測を行う場合、計測を行うことが可能となる量の毛髪３０を採取するための範囲であり、（１）対向部２および対向部２から突出した第１仕切り部３によって囲まれる範囲、または、（２）対向部２および対向部２から突出した第２仕切り部４によって囲まれる範囲である。所望の範囲５０は、例えば１ｃｍ×１ｃｍの正方形である。また、採取者は、所望の範囲５０よりも少し広い範囲（例えば３ｃｍ×３ｃｍの正方形）内の毛髪を採取してもよい。複数採取を行う場合、採取者は初回採取時の採取範囲（所望の範囲５０）よりも少し広い範囲（例えば３ｃｍ×３ｃｍの正方形）内において、初回採取時の採取範囲と同一の形状かつ同一の大きさの範囲を、２回目以降の採取における所望の範囲５０として毛髪３０を採取してもよい。
【００１８】
以下に、器具１が備える各構成要素の詳細について説明する。図１に示すように、対向部２は、基部７と、基部７から突出し、互いに平行に対向する第１対向部５および第２対向部６と、を有している。対向部２は、所望の範囲５０の横方向の幅を規定する。第１対向部５と第２対向部６との間の距離は、例えば１ｃｍである。また、第１対向部５には、第１仕切り部３、第２仕切り部４、後述する第１移動機構１３および第２移動機構１４を格納する空間が形成されている。
【００１９】
第１仕切り部３は、一対の板３Ａ・３Ａを備えており、後述する第１移動機構１３によって横方向および縦方向に移動することが可能である。
【００２０】
第１仕切り部３は、第１対向部５内に格納されているときには、第１仕切り部３の右側の先端が第１対向部５の第２対向部６と対向する面から突出しない。また、第１仕切り部３は、第１移動機構１３により、第１対向部５内に格納されている位置から、第１仕切り部３の右側の先端と第２対向部６とが接触する位置まで右方向に移動可能となっている。
【００２１】
また、第１仕切り部３は、第１移動機構１３により、第１仕切り部３の右側の先端が第２対向部６と接触している状態において、第１仕切り部３を構成する各板３Ａが互いに遠ざかる方向に移動可能となっている。
【００２２】
第２仕切り部４は、一対の板４Ａ・４Ａを備えており、第２移動機構１４によって横方向に移動することが可能である。第２仕切り部４は、第１仕切り部３と同様に、第１対向部５内に格納されているとき、右側の先端が第１対向部５の第２対向部６と対向する面から突出しないよう構成されている。また、第２仕切り部４は、第２移動機構１４により、第１対向部５内に格納されている位置から、第２仕切り部４の右側の先端と第２対向部６とが接触する位置まで右方向に移動可能となっている。
【００２３】
図２は、第１対向部５が備える第１移動機構１３および第２移動機構１４の構成を示す概略図であり、図２の符号１０００〜１００３は、第１対向部５の分解図を示し、図２の符号１００４は、図２の符号１０００〜１００２に示す各構成要素を組み立てたものを示し、図２の符号１００５は、図２の符号１０００〜１００３に示す各構成要素を組み立てたものを示す。図２の符号１０００〜１００３に示すように、第１対向部５は、第１部材１１、第２部材１２、第１操作部１６および第２操作部１７を有している。
【００２４】
図２の符号１０００に示すように、第１対向部５の第１部材１１は、溝１５ａおよび溝１５ｂが形成された板状の部材である。また、図２の符号１００３に示すように、第２部材１２は、矩形の穴１８が形成された板状の部材である。
【００２５】
図２の符号１００２に示すように、第１操作部１６は、第１仕切り部３と接続しており、第１操作部１６が移動することで、第１仕切り部３も移動する。
【００２６】
第１操作部１６は、複数のピン１９を備えている。第１操作部１６は、ピン１９が第１部材１１の溝１５ａに差し込まれることにより、溝１５ａに沿って移動することが可能となる。
【００２７】
図２の符号１００１に示すように、第２操作部１７は、第２仕切り部４と接続しており、第２操作部１７が移動することで、第２仕切り部４も移動する。第２操作部１７は、複数のピン１９を備えている。第２操作部１７は、ピン１９が第１部材１１の溝１５ｂに差し込まれることにより、溝１５ｂに沿って移動することが可能となる。なお、第２操作部１７が備えるピン１９は、ピン１９同士が接続した板状の形状であってもよい。
【００２８】
図２の符号１００４は、第１部材１１上に第１操作部１６および第２操作部１７を設置した状態を示し、図２の符号１００５は、図２の符号１００４の状態にさらに第２部材１２を設置した状態を示す。図２の符号１００５に示すように、第２部材１２の穴１８からは第２操作部１７が露出している。穴１８から露出している第２操作部１７は、手動で移動させることが可能であり、これにより、採取者は第１仕切り部３および第２仕切り部４を移動させることができる。なお、第１部材１１と第２部材１２との間は、少なくとも上部は接続し、間が空かないよう構成されている。
【００２９】
図２の符号１０００〜１００３に示すように、溝１５ａおよび第１操作部１６によって第１移動機構１３が形成され、溝１５ｂおよび第２操作部１７によって第２移動機構１４が形成される。
【００３０】
図３は、第１移動機構１３および第２移動機構１４の動作の一例を示す図である。なお、説明のために、図３には、実際は図３に示す状態に組み立てられたときには見えない溝１５ａ、溝１５ｂ、およびピン１９が図示されている。図３の符号１００６に示すように、第１部材１１上に第１操作部１６および第２操作部１７が設けられ、第１操作部１６および第２操作部１７のピン１９は、第１部材１１の溝１５ａおよび溝１５ｂにそれぞれ差し込まれている。図３の符号１００７に示すように、第２操作部１７が溝１５ｂに沿って移動すると、第２操作部１７が第１操作部１６を押圧する。これにより、第１操作部１６も同時に溝１５ａに沿って移動し、図３の符号１００８に示すように、第１仕切り部３および第２仕切り部４が第１対向部５から突出する。
【００３１】
図３の符号１００８に示すように、第１操作部１６と第２操作部１７との間には、第１操作部１６および第２操作部１７に対して縦方向の力を印加するバネ１０が設けられている。第１操作部１６および第２操作部１７が横方向の溝１５ａおよび溝１５ｂ上に存在する場合、第１操作部１６および第２操作部１７によってバネ１０は縮んだ状態である。第１操作部１６および第２操作部１７が、溝１５ａおよび溝１５ｂの右の端部に到達すると、溝１５ａおよび溝１５ｂは右の端部において縦方向に延びているため、バネ１０が伸び、第１操作部１６が溝１５ａに沿って互いに遠ざかる方向に移動する。これにより、第１仕切り部３も溝１５ａに沿って互いに遠ざかる方向に移動する。
【００３２】
第１操作部１６のピン１９は、溝１５ａの縦方向の端部に到達すると、バネ１０によって押圧されるため、溝１５ａの縦方向の端部に固定される。これにより、第１操作部１６は、第１対向部５内においてピン１９が溝１５ａの縦方向の端に到達したときの位置に固定される。従って、第１操作部１６に接続している第１仕切り部３も、同様に固定される。つまり、第１仕切り部３は、バネ１０によって第１対向部５に対して固定される。
【００３３】
第１操作部１６および第１操作部１６に接続している第１仕切り部３が第１対向部５に対して固定されたとき、第１仕切り部３と第２仕切り部４との最も近い距離は、５ｍｍ〜１０ｍｍであることが好ましい。第１操作部１６および第２操作部１７が固定された時点における第１仕切り部３と第２仕切り部４との距離を５ｍｍ以上とすることにより、採取者が所望の範囲５０内の毛髪３０のみに鋏を入れることが容易となる。また、第１操作部１６および第２操作部１７が固定された時点における第１仕切り部３と第２仕切り部４との距離を１０ｍｍ以下とすることにより、より分けた所望の範囲５０外の毛髪３０の毛先が第１仕切り部３と第２仕切り部４との間に入る可能性を低減できる。
【００３４】
＜器具１を用いた毛髪３０の採取方法の一例＞
以下、図１および図４〜図８を用いて、器具１を用いて所望の範囲５０内の毛髪３０からなる毛束を形成し、毛髪３０を採取する方法について説明する。図４は、毛髪３０を採取する位置を特定する方法の一例を示す図である。図５は、頭皮４０上に器具１を配置した状態を示す図である。図６は、図５の状態を図５における左方向から見た図である。図７は、第１仕切り部３を互いに遠ざかる方向において移動させる様子を示す図である。図８は、図７の状態を図７における左方向から見た図である。
【００３５】
器具１を用いた毛髪３０の採取では、まず採取者は、所望の範囲５０を特定する。所望の範囲５０を特定する方法として、例えば、（１）所望の範囲５０を光で示す、（２）採取者がカメラ付眼鏡をかけ、眼鏡の視野内に、拡張現実により、所望の範囲５０に目印を表示させる、（３）所望の範囲５０を示す、物理的な目印を付ける、等が挙げられる。
【００３６】
ここで、上記（１）の方法の一例として、範囲特定システムを用いる例について、具体的に説明する。
【００３７】
まず、採取者は、３次元カメラまたは単一カメラ等の撮像装置を用いて、被採取者の頭部を撮像する。次に、範囲特定システムが、撮像した画像に基づいて、所望の範囲５０を決定するための基準となる位置を検出する。上記基準となる位置とは、例えば被採取者の左右の耳の上端等である。基準位置を検出する方法としては、例えば、テンプレートマッチング、またはハフ変換（Hough Transform）等、一般的な画像認識技術を用いることができる。
【００３８】
次に、範囲特定システムは、上記基準位置に基づいて、所望の範囲５０の中心の座標を算出する。最後に、範囲特定システムは、範囲特定システムが備える光を照射可能な装置を用いて、算出した所望の範囲５０の中心の座標または所望の範囲５０に対して光を照射する。これにより、採取者は所望の範囲５０を目視で確認することができる。
【００３９】
次に、上記（３）の方法の一例について、具体的に説明する。まず、採取者が、所望の範囲５０の中心を外し、図４に示すように矢印６０が表示されたヘアピンを所望の範囲５０の左右上下に配置する。この時、ヘアピンはより分けの邪魔にならない位置に配置される。矢印６０の刺す仮想線の交点が所望の範囲５０の中心となる。なお、矢印６０が表示されるものは、ヘアピンに限られず、カチューシャのように頭に装着するものでも良い。
【００４０】
所望の範囲５０を特定した後、採取者は、所望の範囲５０を含む毛髪３０を立ち上げ、図５および図６に示すように、所望の範囲５０の横方向の幅が、対向部２間の幅に重なるよう器具１を縦方向に移動させ、頭皮４０上の頭皮４０に近い位置に配置する。すなわち、採取者は第１対向部５と第２対向部６との間に所望の範囲５０を含んだ箇所の毛髪３０を嵌め込む。これにより、所望の範囲５０内の横方向の毛髪３０は、対向部２によってより分けられる。なお、この時、採取者は所望の範囲５０の縦方向の幅が、第２仕切り部４の一対の板４Ａ・４Ａ同士の間の幅に重なるよう器具１を配置する。
【００４１】
続いて、採取者は第１操作部１６および第２操作部１７を右方向に移動させることで、第１仕切り部３および第２仕切り部４を突出させ、第１仕切り部３および第２仕切り部４の右側の先端を第２対向部６に接触させる。これにより、所望の範囲５０内の縦方向の毛髪３０がより分けられる（図１参照）。
【００４２】
次に、図７および図８に示すように、採取者は第１仕切り部３を、互いが遠ざかる方向すなわち縦方向に移動させ、第１対向部５と第２対向部６との間にはめ込まれた所望の範囲５０内の毛髪３０をさらにより分ける。また、採取者は器具１から所望の範囲５０内の毛髪３０が脱落しない程度に器具１を頭皮４０から遠ざける。これにより、所望の範囲５０内の毛髪３０のみによる毛束が形成される。
【００４３】
ここで、一対の板３Ａ・３Ａ間の距離が長くなりすぎると、一対の板３Ａ・３Ａ間に所望の範囲外の毛髪３０が混ざる恐れがあるため、第１仕切り部３は、一対の板３Ａ・３Ａ間の最も短い距離が１０ｍｍ〜３０ｍｍの範囲内において移動することが好ましい。例えば、第１仕切り部３が第１対向部５から突出する時、第１仕切り部３の一対の板３Ａ・３Ａ間の距離は所望の範囲５０の縦方向の幅である。
【００４４】
最後に、採取者は作成された上記毛束を手またはヘアピン等で留め、鋏等を用いて切断することで所望の範囲５０内の毛髪３０を採取する。
＜器具１による効果＞
以上のように、本実施形態における器具１は、互いに対向する一対の対向部としての第１対向部５および第２対向部６と、第１対向部５と第２対向部６との間の空間を区切る一対の第１仕切り部３とを備えている。また、第１対向部５と第２対向部６が対向する方向および第１仕切り部３の板３Ａ・３Ａが対向する方向における一対の第１仕切り部３の移動を可能とする第１移動機構１３が第１対向部５に形成されている。
【００４５】
上記の構成によれば、第１仕切り部３が、第１対向部５から突出し、第１仕切り部３が、互いに遠ざかる方向において移動することにより、所望の範囲５０外の毛髪３０をより確実に除いた毛束を作成することが可能となる。
【００４６】
また、器具１は、一対の第１仕切り部３の間において、第１対向部５と第２対向部６との間の空間を区切る一対の第２仕切り部４を備えている。これにより、器具１は、第１仕切り部３および第２仕切り部４によって所望の範囲５０内の毛髪３０と所望の範囲５０外の毛髪３０とをより正確により分けることが可能となる。
【００４７】
また、器具１では、第１仕切り部３および第２仕切り部４が、それぞれの先端が第２対向部６に接触するまで移動する。これにより、所望の範囲５０外に存在する毛髪３０が、所望の範囲５０内に侵入することを防ぐことができる。
【００４８】
また、本実施形態において、第１対向部５および第２対向部６の横方向の幅をＸ、第１対向部５と第２対向部６との間の距離をＹ、第１仕切り部３および第２仕切り部４の横方向の長さをＺとすると、Ｙは５ｍｍ〜１０ｍｍであり、Ｘ＞Ｚ≧Ｙである。Ｚは、第１仕切り部３および第２仕切り部４の、第１対向部５の長軸に対して垂直な方向と言い換えることもできる。Ｘ＞Ｚであることにより、第１仕切り部３および第２仕切り部４を第１対向部５または第２対向部６内に格納することが可能となる。また、Ｚ≧Ｙであることにより、第１対向部５から突出した第１仕切り部３および第２仕切り部４の右側の先端と第２対向部６とが接触し、所望の範囲５０内外の毛髪３０が混ざることを防ぐことができる。
【００４９】
なお、器具１は、所望の範囲５０内の毛髪３０をより分けることが可能であればよく、例えば器具１は、第２仕切り部４を備えず、第１仕切り部３のみによって毛髪３０をより分ける構成としてもよい。
【００５０】
また、上記の例では、第１操作部１６が、バネ１０の弾性力を利用して縦方向における移動を行ったが、第１操作部１６は、手動で移動する構成としてもよい。
【００５１】
また、第１操作部１６および第２操作部１７は第１対向部５内部に設けられる必要はなく、例えば図２の符号１００４に示すような状態で第１対向部５上に設けられていてもよい。
【００５２】
第１移動機構１３および第２移動機構１４は、必ずしも第１対向部５に設けられる必要はなく、第２対向部６に設けられてもよい。
【００５３】
また、第１移動機構１３および第２移動機構１４の構成は上述したものに限られない。第１移動機構１３および第２移動機構１４は、第１仕切り部３および第２仕切り部４を任意の位置まで移動させることにより、所望の範囲５０内の毛髪３０をより分けることが可能であればよい。
【００５４】
ピン１９は、弾性体であり、且つ第１操作部１６および第２操作部１７側において太く、溝１５ａおよび溝１５ｂ側において細くなるよう形成されていてもよい。この場合、採取者はピン１９を溝１５ａおよび溝１５ｂ側に押し込むことによって、第１操作部１６および第２操作部１７を、任意の位置において固定することができる。
【００５５】
また、第１仕切り部３および第２仕切り部４の移動方向は、上記の例では縦方向および横方向としたが、これらに限られるものではない。上記移動方向は、所望の範囲５０内の毛髪３０をより分けることが可能であれば、どのような方向であってもよい。例えば、所望の範囲５０が円形である場合、第１仕切り部３および第２仕切り部４は、第１対向部５から突出する際、弧を描くように移動してもよい。
【００５６】
〔変形例〕
図９は、第１移動機構１３および第２移動機構１４の構成の別の例を示す図である。第１移動機構１３ａおよび第２移動機構１４ａは、第１対向部５に設けられている。図９の符号１００９〜１０１２は、第１対向部５の分解図を示す。図９の符号１００９〜１０１２に示すように、第１対向部５は、第１部材１１ａ、第２部材１２ａ、第１操作部１６ａおよび第２操作部１７ａを有している。
【００５７】
図９の符号１００９に示すように、第１部材１１ａは、溝１５ｃが形成された板状の部材であり、図９の符号１０１２に示すように、第２部材１２ａは、矩形の穴１８ａが形成された板状の部材である。また、図９の符号１０１１に示すように、第１操作部１６ａは、複数のピン１９ａおよび紙面奥方向および手前方向に移動可能なストッパ２０を備えている。また、図９の符号１０１０に示すように第２操作部１７ａは、溝１５ｄ、複数のピン１９ａおよびストッパ用穴２１を備えている。
【００５８】
図９の符号１００９〜１０１２に示すように、溝１５ｄおよび第１操作部１６ａによって第１移動機構１３ａが形成され、溝１５ｃおよび第２操作部１７ａによって第２移動機構１４ａが形成される。
【００５９】
図９の符号１０１３は、図９の符号１００９〜１０１１に示す各構成要素を組み立てたものを示し、図９の符号１０１４は、図９の符号１００９〜１０１２に示す各構成要素を組み立てたものを示す。
【００６０】
図９の符号１０１３に示すように、第２操作部１７ａは、第１部材１１ａ上に設けられ、第２操作部１７ａのピン１９ａは溝１５ｃに差し込まれている。これにより、第２操作部１７ａは、溝１５ｃに沿って移動することが可能である。
【００６１】
第１操作部１６ａは、ピン１９ａが溝１５ｄに差し込まれることにより、溝１５ｄに沿って移動することが可能となる。また、ストッパ２０は、ストッパ用穴２１に差し込まれている。ストッパ２０は、後述するバネ１０ａの動きを制限する。
【００６２】
図９の符号１０１４に示すように、第２部材１２ａの穴１８ａからは、第１操作部１６ａおよび第２操作部１７ａが露出している。穴１８ａから露出している第２操作部１７ａは、手動で移動することが可能であり、これにより採取者は第１仕切り部３および第２仕切り部４を移動させることができる。
【００６３】
第２操作部１７ａを溝１５ｃに沿って移動させると、第２操作部１７ａ上に設けられている第１操作部１６ａも移動する。これにより、第１仕切り部３および第２仕切り部４が、第１対向部５から突出する。第１操作部１６ａ間には、図９の符号１０１３に示すように、第１操作部１６ａの板間に対して縦方向の力を印加するバネ１０ａが設けられている。第１操作部１６ａは、初めは、ストッパ用穴２１に差し込まれたストッパ２０によって縦方向の移動が制限されている。このため、第１仕切り部３および第２仕切り部４が第１対向部５から完全に突出したとしても、第１操作部１６ａが縦方向に移動することはない。第１仕切り部３および第２仕切り部４が完全に第１対向部５から突出した状態において採取者がストッパ２０をストッパ用穴２１から引き出すと、バネ１０ａが伸び、バネ１０ａの押圧力によって第１仕切り部３が溝１５ｄに沿って互いに遠ざかる方向に移動する。
【００６４】
なお、図９に示す例では、第１操作部１６ａと第２操作部１７ａとが重なっているため、第１仕切り部３を頭皮４０方向に厚くすることで、第１仕切り部３と第２仕切り部４とが、頭皮４０側と対向する面において水平になるよう構成することが好ましい。
【００６５】
ストッパ２０は、第１操作部１６ａの移動を制限することができるものであればよく、例えば円柱または直方体である。また、ストッパ２０の数は、特に限定されない。例えばストッパ２０は、第１操作部１６ａのそれぞれの板上に複数設けられていてもよい。
【００６６】
〔実施形態２〕
本開示の他の実施形態について、以下に説明する。なお、説明の便宜上、上記実施形態にて説明した部材と同じ機能を有する部材については、同じ符号を付記し、その説明を繰り返さない。
【００６７】
図１０は、本開示の実施形態２に係る器具１ａの構成を示す概略図である。また、図１１は、図１０の状態を図１０における左方向から見た図である。図１０に示すように、器具１ａは、第２仕切り部４の間に第１仕切り部３ａを備えている。
【００６８】
本実施形態において、第１仕切り部３ａは、第１対向部５ａから突出した後、互いに近づく方向に移動する。また、第１仕切り部３ａは、所望の範囲５０内の毛髪３０を十分により分けるために、一対の板３Ａ・３Ａ間の最も短い距離が１ｍｍ〜１０ｍｍの範囲内において移動することが好ましい。
【００６９】
本実施形態における器具１の第１対向部５ａは、内部に第１移動機構１３ｂおよび第２移動機構１４ｂを備えている。図１２は、本実施形態に係る第１移動機構１３ｂおよび第２移動機構１４ｂの構成を示す図である。
【００７０】
図１２の符号１０１５〜１０１７は、第１対向部５ａの分解図を示し、図１２の符号１０１８は、図１２の符号１０１５〜１０１７に示す各構成要素を組み立てたものを示す。図１２の符号１０１５〜１０１７に示すように、第１対向部５ａは、第１部材１１ａ、第１操作部１６ａおよび第２操作部１７ｂを有している。なお、第１対向部５ａは、図１２には示していないが、図９に示している第２部材１２ａも備えている。図１２の符号１０１７に示す第２操作部１７ｂは、溝１５ｄの代わりに溝１５ｅを備えること以外は図９の符号１０１０に示す第２操作部１７ａと同様の部材である。
【００７１】
図１２の符号１０１８に示すように、溝１５ｅおよび第１操作部１６ａによって第１移動機構１３ｂが形成され、溝１５ｃおよび第２操作部１７ｂによって第２移動機構１４ｂが形成される。
【００７２】
採取者が第２操作部１７ｂを溝１５ｃに沿って移動させると、第２操作部１７ｂ上に設けられている第１操作部１６ａも右方向に移動する。これにより、第１仕切り部３ａおよび第２仕切り部４が、第１対向部５ａから突出する。
【００７３】
本実施形態において、第１操作部１６ａと第２操作部１７ｂとの間には、図１２の符号１０１８に示すように、第１操作部１６ａの板間に対して縦方向の力を印加するバネ１０ｂが設けられている。バネ１０ｂの両端部は、各第１操作部１６ａを接続するように固定されている。第１操作部１６ａは、初めは、ストッパ用穴２１に差し込まれたストッパ２０によって縦方向の移動が制限されている。このため、第１仕切り部３ａおよび第２仕切り部４が第１対向部５ａから完全に突出したとしても、第１操作部１６ａが縦方向に移動することはない。第１仕切り部３ａおよび第２仕切り部４が完全に第１対向部５ａから突出した状態において採取者がストッパ２０をストッパ用穴２１から引き出すと、バネ１０ｂが縮み、第１仕切り部３ａが溝１５ｅに沿って互いに近づく方向に移動する。
【００７４】
第１操作部１６ａのピン１９ａは、溝１５ｅの縦方向の端部に到達すると、バネ１０ｂによって牽引されるため、溝１５ｅの縦方向の端部に固定される。これにより、第１操作部１６ａは、第１対向部５ａ内においてピン１９ａが溝１５ｅの縦方向の端に到達したときの位置に固定される。従って、第１操作部１６ａに接続している第１仕切り部３ａも、同様に固定される。つまり、第１仕切り部３は、バネ１０ｂによって第１対向部５に対して固定される。
【００７５】
以上のように、本実施形態における器具１ａは、互いに対向する一対の対向部としての第１対向部５ａおよび第２対向部６と、第１対向部５ａと第２対向部６との間の空間を区切る一対の第１仕切り部３ａとを備えている。また、縦方向および横方向における一対の第１仕切り部３ａの移動を可能とする第１移動機構１３ｂが第１対向部５ａに形成されている。第１仕切り部３ａは、互いに近づく方向に移動可能となっている。
【００７６】
上記構成により、所望の範囲５０内の毛髪３０の幅が狭まるため、採取者が所望の範囲５０内の毛髪３０による毛束を採取する際、採取者が手でつまむまたはヘアピンで留めることを簡単に行える。また、器具１ａは、第１仕切り部３ａをさらに狭められるよう構成されることにより、器具１ａのみによって上記毛束を留めることも可能となる。これにより、採取者は毛髪３０の採取をさらに簡便に行うことができる。
【００７７】
また、器具１ａは、一対の第１仕切り部３ａの外側において、第１対向部５ａと第２対向部６との間の空間を区切る一対の第２仕切り部４をさらに備え、縦方向における前記第２仕切り部４の移動を可能とする第２移動機構１４ｂが第１対向部５ａに形成されている。上記の構成によれば、器具１ａは、第１仕切り部３ａおよび第２仕切り部４によって所望の範囲５０内の毛髪３０と所望の範囲５０外の毛髪３０とをより正確により分けることが可能となる。
【００７８】
第１移動機構１３ｂによって第１仕切り部３ａが移動した後、第１仕切り部３ａが固定されたとき、第１仕切り部３ａと第２仕切り部４との間の最も近い距離は、５ｍｍ〜１０ｍｍであることが好ましい。
【００７９】
〔実施形態３〕
本開示の他の実施形態について、以下に説明する。なお、説明の便宜上、上記実施形態にて説明した部材と同じ機能を有する部材については、同じ符号を付記し、その説明を繰り返さない。
【００８０】
実施形態１において、第２仕切り部４は横方向にのみ移動可能であったが、第２仕切り部４が、互いに近づく方向において移動することができる構成としてもよい。
【００８１】
この場合、第１仕切り部３が互いに遠ざかる方向に移動し、また、第２仕切り部４が、互いに近づく方向において移動するため、器具１は、所望の範囲５０内の毛髪３０を、さらに確実により分けることが可能となる。
【００８２】
なお、第２仕切り部４が互いに近づく方向において移動する際も、第２仕切り部４の右側の先端は、第２対向部６と接触した状態である。
【００８３】
本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。さらに、各実施形態にそれぞれ開示された技術的手段を組み合わせることにより、新しい技術的特徴を形成することができる。
【符号の説明】
【００８４】
１、１ａ  器具
２  対向部
３  第１仕切り部
４  第２仕切り部
５  第１対向部
６  第２対向部
１０、１０ａ、１０ｂ  バネ（固定部材）
１３  第１移動機構
１４  第２移動機構
３０  毛髪
４０  頭皮
５０  所望の範囲
【図１】
2020201119.tif 000003
【図２】
2020201119.tif 000004
【図３】
2020201119.tif 000005
【図４】
2020201119.tif 000006
【図５】
2020201119.tif 000007
【図６】
2020201119.tif 000008
【図７】
2020201119.tif 000009
【図８】
2020201119.tif 000010
【図９】
2020201119.tif 000011
【図１０】
2020201119.tif 000012
【図１１】
2020201119.tif 000013
【図１２】
2020201119.tif 000014